(57)【要約】【課題】電子機器に使用するカードを受け入れるコネクタにおいて、カードの挿入途中でカードの挿入動作を確認できるようなコネクタを提供すること。【解決手段】カードを挿入するスロット内でカードを導くレール溝にレバー等を配置して、カードの挿入を検知するように構成し、また、カードの動きと連動してこのレバーが動作するように構成し、さらにこのレバーに連動して移動するスライド板を設ける。このスライド板には、クリック板を固定しておく。挿入されたカードがコネクタ内の所定位置に到達したときスライド板に取り付けられたクリック板は、スロット側壁等に固定されている突起と当接するが、このとき、クリック感覚を発生して、操作者にこのクリック感覚を伝達する。【選択図】図１
2007080712.tif 000002
【特許請求の範囲】
【請求項１】
電子機器に使用するカードを受け入れるコネクタにおいて、
挿入されるカードに連動して移動するスライド板と、
該スライド板と共に移動するクリック板と、
挿入されたカードがコネクタ内の所定位置に到達したときスライド板に取り付けられたクリック板と当接する突起と、
突起とクリック板とが当接したときにクリック感覚を発生するクリック発生手段と、
を具備することを特徴とするカード用コネクタ。
【請求項２】
前記突起は、スライド板の移動位置を規制するコネクタに設けられた規制突条であることを特徴とする請求項１に記載のカード用コネクタ。
【請求項３】
前記クリック板は弾撥材から構成されていることを特徴とする請求項１に記載のカード用コネクタ。
【発明の詳細な説明】
【技術分野】
【０００１】
本発明は、カード用コネクタに関し、特にパソコンのメモリカード用スロットに用いて好適なカード用コネクタに関する。
【背景技術】
【０００２】
パソコンの付属機器にメモリカードが多く使用され、その種類は年々多くなってきている。また、メモリカードの他に、例えば、パソコンゲームに使用する操縦桿とパソコンとを接続する場合で、操縦桿に付随するコードを接続するコネクタがパソコン側に備えられていない場合、パソコンに付属するスロットに操縦桿受け入れ用のコネクタを持った付属カードを差し込んでカードに付属するコネクタと操縦桿先端のターミナルを接続するような接続方法がある。
このように、パソコン等のスロットにカードを挿入する場合、カードを挿入してからこの先端がスロットの最深部のソケットまで到達する間に操作者はカードがスロット内の所定のレール上を滑って挿入されているか否かを感覚的に確かめたいことがある。しかし、特許文献１〜３に示されているような現在のスロットでは、カード挿入動作中に、カードの挿入位置を確認することはできない。
【特許文献１】特開２００４−２２７５８３号公報
【特許文献２】特開２００２−０４４２０３号公報
【特許文献３】特公表２００２−５４０５１７号公報
【発明の開示】
【発明が解決しようとする課題】
【０００３】
本発明は、上述のような従来の不都合な点を改善しようとする発明であって、その目的は、電子機器に使用するカードを受け入れるコネクタにおいて、カードがそのコネクタに挿入された場合、その挿入途中でカードの挿入動作を確認できるようなコネクタを提供することにある。
【課題を解決するための手段】
【０００４】
本願の請求項１に記載の発明は、電子機器に使用するカードを受け入れるコネクタにおいて、挿入されるカードに連動して移動するスライド板と、該スライド板と共に移動するクリック板と、挿入されたカードがコネクタ内の所定位置に到達したときスライド板に取り付けられたクリック板と当接する突起と、突起とクリック板とが当接したときにクリック感覚を発生するクリック発生手段と、を具備することを特徴とするカード用コネクタを提供する。
本願の請求項２に記載の発明は、請求項１に記載の発明に加えて、前記突起は、スライド板の移動位置を規制するコネクタに設けられた規制突条であることを特徴とするカード用コネクタを提供する。
本願の請求項３に記載の発明は、請求項１に記載の発明に加えて、前記クリック板は弾撥材から構成されていることを特徴とするカード用コネクタを提供する。
【発明の効果】
【０００５】
電子機器に使用するカードを受け入れるコネクタにおいて、スロットにカードを挿入してからこの先端がスロットの最深部のソケットにまで到達する間に、操作者にカードがスロット内の所定のレール上を滑って挿入されていることを感覚的に確かめることが出来る。
【発明を実施するための最良の形態】
【０００６】
カードを挿入するスロット内でカードを導くレール溝にレバー等を配置して、カードの挿入を検知するように構成し、また、カードの動きと連動してこのレバーが動作するように構成し、さらにこのレバーに連動して移動するスライド板を設ける。このスライド板には、クリック板を固定しておく。挿入されたカードがコネクタ内の所定位置に到達したときスライド板に取り付けられたクリック板は、スロット側壁等に固定されている突起と当接するが、このとき、クリック感覚を発生して、操作者にこのクリック感覚を伝達するとともに、挿入されたカードがスロット内の所定位置に到達していることを操作者に知覚させる。
【実施例１】
【０００７】
次に、本発明を図面を用いて詳細に説明する。
図１は、本発明をＰＣＭＣＩＡ規格のカード用スロットに適用した実施例を示す斜視図である。図において、１はそのスロットであり、２は、そのスロットに差し込まれようとしているＰＣＭＣＩＡ規格のカードである。カード２の先端には、カードから導出される端子列３が設けられている。スロット１は、絶縁物で平面的に形成され、その上面両側には、カード２の側縁を受け入れるためのガイド側壁４、４’が形成されている。ガイド側壁４、４’の内側には、カード２をガイドするレール溝となる溝５が形成されている。ガイド側壁４、４’を繋ぐ最奥壁６部には、最奥壁６の内側に設けられているカード２の端子列と接続する接続片が多数内方に向かって延びているが、構造が複雑となるので、図には示していない。最奥壁６の上部には、端子ガイド７が設けられており、その上面には、接続端子８が植え付けられている。この１本１本の接続端子８は、最奥壁６の内側に延びる接続片と接続している。最奥壁６の内部の一部は空洞化されており、その中に、エジェクトレバー９が回転軸１０によって、最奥壁６に対して回転自在に取り付けられている。エジェクトレバー９の一方端には、スロット１の内方向に延びる突き出し腕１１が設けられ、その先端は、カード２の先端部を押し出して、カード２を外方に排出させる役目を果たす。エジェクトレバー９の他方端には、アクチエータ１２が形成され、その先端は、ガイド側壁４’より外方に突出されている。ガイド側壁４’には、スライド板１３がその側壁に沿ってスライドできるように設けられている。突起１４はガイド側壁４’より突出しており、スライド板１３に開けたガイド溝１５を貫通して、スライド板１３のスライド方向を規制する。
【０００８】
なお、この他、スライド板１３のスライド動作を規制する手立ては、ガイド側壁４’から延びるレールなど幾つかあるが、図面に記載を複雑とするし、周知のものなので、その記載は省略した。エジェクトレバー９の先端に設けられたアクチエータ１２は、スライド板１３に開けられたスリット１６と嵌合しており、エジェクトレバー９の回転に伴ってスライド板１３をガイド側壁４’に沿ってスライドさせる。スライド板１３の先端には、エジェクト釦１７が取り付けられている。スライド板１３の中程には、クリック板１８が、スポット溶接１９などの方法で、堅く取り付けられている。クリック板１８の他方端には、クリック段部２０が形成されており、その段部の高さは、突起１４の高さより小さく、クリック板１８がスライド板１３の移動に伴ってガイドする突起１４に近づくとき、これの上に乗り上げて、クリック感覚を発生するクリック発生手段を構成する。
【０００９】
次に図２を用いて本発明の作用を説明する。
まず、カード２をスロット１の入り口から同内部に挿入すると、カード２はガイド側壁４、４’の内側に沿ってその先端がエジェクトレバー９の突き出し腕１１に接近する。図１と図２の（ａ）は、この状態を示す。この状態からカード２を更に挿入すると、カード２の先端は、突き出し腕１１に到達し、カード２を更に押し圧すると、これの先端が突き出し腕１１を押し圧し始め、エジェクトレバー９を図１の矢印方向に回転させる。このため、アクチュエータ１２がスライド板１３を矢印方向にスライドさせる。同図（ｂ）はこの状態を示す。カード２を更に挿入方向に押し圧すると、その先端が所定の位置に到達する。この位置は、カード挿入動作にあまり関係のない位置である。その位置を本発明の実施例においては、図２の（ｃ）に示す通り、スライド板１３が移動し、これに取り付けられているクリック板１８のクリック段部２０が突起と接触するほどに接近する場所に設定している。これと同時に、カード２の端子列３も最奥壁６の内側に設けられている接続片に接近する。これより更にカード２を挿入しようとすると、クリック板１８のクリック段部２０が突起に乗り上げようとする。この乗り上げ動作により、カード２を押し圧している手指には、軽いクリック感を感じる。そして、操作者に、カード２の挿入動作が最後段階に近づいたことを告げる。これより更にカード２を押し圧すると、カード２先端の端子列３は、最奥壁６の内側に設けられている接続片に突き刺さり、カード２とスロット１との接続が果たされる。図２の（ｄ）はこの状態になったときの突起１４とクリック段部２０との位置関係を示したものである。
挿入されたカード２をスロット１から抜き去るときは、エジェクト釦１７を押し込む。この動作で、スライド板１３は押し込まれ、クリック段部２０は突起を滑り降りると共に、エジェクトレバー９を図１の矢印と反対方向に回転させ、その突き出し腕１１はカード２の先端をカード押しだし方向に押し圧する。よって、カード２は、入り口方向に排出される。
【００１０】
以上、本発明を上述の実施の形態をＰＣＭＣＩＡ仕様のカードについて適用した例の説明を行ったが、適用するカードはこれに限ることなく、例えば、ＸＤカード、ＳＤカード等他の仕様のカードであっても、それらのカードの差し込みに連れて移動する部材にクリック板を取付てこの部材と共にクリック板を移動させ、これが乗り越えるスライド突起もスライド板のガイドを行うものを利用する場合は勿論のこと、別設したスライド突起であっても、本発明の主旨の範囲内で種々の変形や応用が可能であり、これらの変形や応用を本発明の範囲から排除するものではない。
【産業上の利用可能性】
【００１１】
本発明をパソコンのメモリカードに適用した実施例を説明したが、本発明はこれに限ることなく、フレキシブル・ディスクドライバーや、そのほかのカードアダプタ用コネクタに使用できる。
【図面の簡単な説明】
【００１２】
【図１】図１は、本発明の一実施例を示す斜視図である。
【図２】図２は、本発明に実施例の作用を経過と共に順次示した部分説明図である。
【符号の説明】
【００１３】
１・・・スロット
２・・・ＰＣＭＣＩＡ規格のカード
３・・・端子列
４・・・ガイド側壁
４’・・ガイド側壁
５・・・溝
６・・・最奥壁
７・・・端子ガイド
８・・・接続端子
９・・・エジェクトレバー
１０・・・回転軸
１１・・・突き出し腕
１２・・・アクチエータ
１３・・・スライド板
１４・・・突起
１５・・・ガイド溝
１６・・・スリット
１７・・・エジェクト釦
１８・・・クリック板
１９・・・スポット溶接
２０・・・クリック段部
【図１】
2007080712.tif 000003
【図２】
2007080712.tif 000004